(57)【要約】【課題】浴槽において、身体障害者の自立入浴と健常者の安全入浴を可能とする。【解決手段】身体障害者独立入浴型浴槽１は、車椅子に乗車したまま入出するための入出用開口２３が設けられた浴槽本体２と、浴槽本体２の入出用開口２３を開閉するドアパネル３とを有する。浴槽本体２の入出用開口２３は、その左右両側端縁が下方から上方に向かうに連れて左右方向幅が広がるように傾斜しており、この左右両側端縁には、上下に連通する溝２７、２８が設けられている。ドアパネル３は、入出用開口２３を閉鎖する形状を有しており、その両側端縁が溝２７、２８に挿入されることで浴槽本体２に装着される。入出用開口２３の左右両側端縁が下方から上方に向かうに連れて広がるように傾斜しているため、ドアパネル３を少ない上下移動距離で浴槽本体２に着脱でき、車椅子に乗車した身体障害者が自らドアパネル３を着脱して浴槽本体２に入出できる。【選択図】図１
2006218086.tif 000002
【特許請求の範囲】
【請求項１】
車椅子に乗車したまま入出するための入出用開口が床から連続する周側壁の一部に設けられた浴槽本体と、前記浴槽本体の入出用開口を開閉する前記浴槽本体に着脱自在なドアパネルとを有する浴槽であって、
前記浴槽本体の入出用開口は、その左右両側端縁が下方から上方に向かうに連れて左右方向幅が広がるように傾斜しており、この左右両側端縁には、上下に連通する溝が設けられており、
前記ドアパネルは、その左右側端縁が前記溝に挿入されることで前記浴槽本体に装着され、前記浴槽本体に装着されたときに前記入出用開口を閉鎖する形状を有し、該左右側端縁及び下端縁にはパッキング部材が設けられており、
前記ドアパネルを前記浴槽本体に装着した状態で該ドアパネル上端縁に当接して下方に向けて押圧し、前記ドアパネルを前記入出用開口の左右側端縁及び床面に圧着させるドアパネル圧着手段を備え、
車椅子に乗車した身体障害者が自らドアパネルを着脱して浴槽本体に入出できるようにしたことを特徴とする身体障害者独立入浴型浴槽。
【請求項２】
前記ドアパネルは、上下方向に分割された複数のドアパネル片から成り、各ドアパネル片の左右側端縁及び下端縁にはパッキング部材が設けられており、各ドアパネル片が個別に前記浴槽本体に着脱自在となっていることを特徴とする請求項１に記載の身体障害者独立入浴型浴槽。
【請求項３】
前記ドアパネル圧着手段は、
一端側が前記入出用開口の左右両側端縁の溝内に設けられたフック穴にそれぞれ係合される一対の圧着棒と、
これら圧着棒の他端側を一直線上に重ね合わせた状態で該他端側に設けられたロック穴に挿通されるロック棒と、を有し、
前記圧着棒には、前記各一端側を前記フック穴にそれぞれ係合させて他端側を下方に向けて回動させ、これら他端側を一直線上に重ね合わせた状態で、前記ドアパネルの上端縁を下方に向けて押圧する圧着ボールが設けられていることを特徴とする請求項１又は請求項２に記載の身体障害者独立入浴型浴槽。
【発明の詳細な説明】
【技術分野】
【０００１】
本発明は、浴槽に関するものであり、身体障害者の独立入浴と健常者の快適入浴を可能とした身体障害者独立入浴型浴槽に関するものである。
【背景技術】
【０００２】
従来から、身体障害者に対する入浴に関する設備は、浴槽への進入を容易にするために脱衣場、浴室、浴槽の床面をオールフラットにしたり、浴室に暖房装置を設置する等がある。また、浴槽に関しては、浴槽の側壁に開口を設けると共に、その開口をドアで開閉するようにして、浴槽側壁の開口から車椅子に乗車したまま浴槽に入出できるようにしたものが知られている（例えば特許文献１乃至特許文献３参照）。
【特許文献１】実開平５２８６号公報
【特許文献２】特開平６−２９６６６１号公報
【特許文献３】特開２００２−８６６０８号公報
【発明の開示】
【発明が解決しようとする課題】
【０００３】
ところが、上述した従来の浴槽においては、ドアは浴槽からの漏水を防止しなければならないため重量が重く、手動でドアを開閉する場合は、かなりの腕力を必要とし、腕力の代わりに動力を用いる場合は、高価な動力装置を必要とする。また、従来の浴槽においては、車椅子に乗車したまま浴槽に進入して入浴するため、浴槽の側壁が高く、同居する健常者が入浴する場合は、高い外壁を跨いで浴槽に入らなければならず、浴槽に入り難く危険である。
【０００４】
本発明は、上記課題を解決するためになされたものであり、身体障害者の自立入浴と健常者の安全入浴を可能とした身体障害者独立入浴型浴槽を提供することを目的とする。
【課題を解決するための手段】
【０００５】
上記目的を達成するために請求項１の発明は、車椅子に乗車したまま入出するための入出用開口が床から連続する周側壁の一部に設けられた浴槽本体と、浴槽本体の入出用開口を開閉する浴槽本体に着脱自在なドアパネルとを有する浴槽であって、浴槽本体の入出用開口は、その左右両側端縁が下方から上方に向かうに連れて左右方向幅が広がるように傾斜しており、この左右両側端縁には、上下に連通する溝が設けられており、ドアパネルは、その左右側端縁が溝に挿入されることで浴槽本体に装着され、浴槽本体に装着されたときに入出用開口を閉鎖する形状を有し、該左右側端縁及び下端縁にはパッキング部材が設けられており、ドアパネルを浴槽本体に装着した状態で該ドアパネル上端縁に当接して下方に向けて押圧し、ドアパネルを入出用開口の左右側端縁及び床面に圧着させるドアパネル圧着手段を備え、車椅子に乗車した身体障害者が自らドアパネルを着脱して浴槽本体に入出できるようにしたものである。
【０００６】
請求項２の発明は、請求項１に記載の浴槽において、ドアパネルは、上下方向に分割された複数のドアパネル片から成り、各ドアパネル片の左右側端縁及び下端縁にはパッキング部材が設けられており、各ドアパネル片が個別に浴槽本体に着脱自在となっているものである。
【０００７】
請求項３の発明は、請求項１又は請求項２に記載の浴槽において、ドアパネル圧着手段は、一端側が入出用開口の左右両側端縁の溝内に設けられたフック穴にそれぞれ係合される一対の圧着棒と、これら圧着棒の他端側を一直線上に重ね合わせた状態で該他端側に設けられたロック穴に挿通されるロック棒と、を有し、圧着棒には、各一端側をフック穴にそれぞれ係合させて他端側を下方に向けて回動させ、これら他端側を一直線上に重ね合わせた状態で、ドアパネルの上端縁を下方に向けて押圧する圧着ボールが設けられているものである。
【発明の効果】
【０００８】
請求項１の発明によれば、浴槽本体の入出用開口の左右両側端縁が下方から上方に向かうに連れて入出用開口の左右方向幅が広がるように傾斜しているため、ドアパネルを少ない上下移動距離で浴槽本体に着脱できる。しかも、浴槽本体の入出用開口の左右両側端縁が傾斜しているため、ドアパネル側端縁のパッキング部材と浴槽本体との摩擦力が小さくなり、ドアパネルを弱い力で容易に浴槽本体に着脱することができる。従って、入浴用車椅子に乗車した身体障害者が自らドアパネルを着脱して浴槽本体に入出することができ、入浴用車椅子に乗車した身体障害者が自立して単身で入浴することが可能となる。また、介護を要して入浴するときに、介護人の少力化を図ることができる。さらに、浴槽本体の入出用開口の左右両側端縁が傾斜しているため、ドアパネル側端縁のパッキング部材が平均して浴槽本体に圧着され、これにより、ドアパネルと浴槽本体との間の水密性が高められ、漏水を防止することができる。また、手動でドアパネルを開閉できるため、ドアパネルを開閉するための動力装置を必要とせず、安価な設備費で済む。
【０００９】
請求項２の発明によれば、個々のドアパネル片の重量は軽く、また、個々のドアパネル片のパッキング部材と浴槽本体との摩擦力も小さいため、個々のドアパネル片を弱い力で容易に浴槽本体に着脱することができ、これにより、ドアパネル全体を弱い力で容易に浴槽本体に着脱することができる。しかも、浴槽本体に装着するドアパネル片の個数を調整することで、ドアパネルの高さを調整できると共に、浴槽本体内に貯める湯水の上限水位を調整することができる。従って、健常者が入浴する場合は、車椅子に乗車した身体障害者が入浴する場合よりもドアパネル片の個数を少なくしてドアパネルの高さ低くすることで、ドアパネルを跨いで容易に浴槽本体に入ることができ、安全である。また、幼児が単独で入浴する場合は、ドアパネル片の個数をさらに少なくしてドアパネルの高さをさらに低くすることで、幼児がドアパネルを跨いで容易に浴槽本体に入ることができ、安全であると共に、浴槽本体内に貯まる湯水の水位もドアパネルの高さが上限となって、安全な水位に保たれる。
【００１０】
請求項３の発明によれば、圧着棒の他端側を下方に向けて回動させることにより、ドアパネルが圧着棒の圧着ボールにより梃子の作用を受けて下方に押圧されるため、弱い力でドアパネルのパッキング部材と浴槽本体との密着度を増すことができ、弱い力でドアパネルと浴槽本体との間の水密性を高めて漏水を防止することができる。
【発明を実施するための最良の形態】
【００１１】
以下、本発明を具体化した実施形態による身体障害者独立入浴型浴槽について図面を参照して説明する。図１は、身体障害者独立入浴型浴槽の構成を示す。身体障害者独立入浴型浴槽１は、入浴用車椅子に乗車した身体障害者が単身で入浴することを可能とした浴槽であり、入浴のための湯水を貯める浴槽本体２と、浴槽本体２に着脱自在なドアパネル３と、ドアパネル圧着手段である一対の圧着棒４、５及びロック棒６とを有する。
【００１２】
浴槽本体２は、床２１と、床２１から連続する周側壁２２とを有しており、車椅子に乗車したまま浴槽本体２に入出するための入出用開口２３が周側壁２２の一部に設けられている。浴槽本体２（周側壁２２）の入出用開口２３の左右両側端縁には、ドアパネル３を浴槽本体２に装着するための上下に連通する溝２７、２８が設けられている。溝２７の底面には、圧着棒４を係合するためのフック穴２９ａ、２９ｂ、２９ｃが設けられており、溝２７の底面には、圧着棒５を係合するためのフック穴２９ｄ、２９ｅ、２９ｆが設けられている。
【００１３】
入出用開口２３は、浴槽本体２の床２１から周側壁２２の上端縁に亘って、下方から上方に向かうに連れて左右方向幅が広がるように形成されている。すなわち、周側壁２２の入出用開口２３の左右両側端縁は（左右両側端縁の一部である溝２７、２８の底面も）、浴槽本体２の床２１から周側壁２２の上端縁に亘って、下方から上方に向かうに連れて相互の間隔が広がっていくように傾斜している。
【００１４】
ドアパネル３は、浴槽本体２の入出用開口２３を開閉するものであり、上下方向に分割された３つのドアパネル片４０、５０、６０から成っている。各ドアパネル片４０、５０、６０は、個別に浴槽本体２に着脱自在となっている。ドアパネル片４０、５０、６０は、各々、その左右側端縁が浴槽本体２の溝２７、２８に挿入されることで浴槽本体２に装着される。
【００１５】
ドアパネル片４０は、浴槽本体２に装着されたときに、その左右側端縁が浴槽本体２の入出用開口２３の左右両側端縁の一部である溝２７、２８の底面と密着すると共に下端縁が浴槽本体２の床面と密着して、入出用開口２３を閉鎖する形状をしている。ドアパネル片５０は、浴槽本体２に装着されたときに、その左右側端縁が浴槽本体２の溝２７、２８の底面と密着すると共に下端縁がドアパネル片４０の上端縁と密着して、入出用開口２３を閉鎖する形状をしている。ドアパネル片６０は、浴槽本体２に装着されたときに、その左右側端縁が浴槽本体２の溝２７、２８の底面と密着すると共に下端縁がドアパネル片５０の上端縁と密着して、入出用開口２３を閉鎖する形状をしている。
【００１６】
ドアパネル片４０、５０、６０は、各々、浴槽本体２との間の水密性を保つためのゴムパッキング４５、５５、６５が左右側端縁及び下端縁に設けられており、手で持ち上げるための把持ロープ４６、５６、６６が側面に設けられている。
【００１７】
ドアパネル片４０は、把持ロープ４６を把持して浴槽本体２の溝２７、２８間で上方から下方に移動させることにより、ドアパネル片４０の左右側端縁が浴槽本体２の溝２７、２８に挿入されて、浴槽本体２に装着される。また、浴槽本体２に装着されているドアパネル片４０は、把持ロープ４６を把持して上方に移動させることにより、ドアパネル片４０の左右側端縁が浴槽本体２の溝２７、２８から抜出されて、浴槽本体２から取外される。
【００１８】
このとき、浴槽本体２の入出用開口２３の左右両側端縁が下方から上方に向かうに連れて入出用開口２３の左右方向幅が広がるように傾斜しているため、ドアパネル片４０は、少ない上下移動距離で、その左右側端縁を溝２７、２８に挿入、抜出できて、浴槽本体２に着脱できる。しかも、浴槽本体２の溝２７、２８の底面が傾斜しているため、ドアパネル片４０の左右側端縁のゴムパッキング４５と浴槽本体２との摩擦力が小さくなり、ドアパネル片４０を弱い力で容易に浴槽本体２に着脱できる。
【００１９】
また、ドアパネル片５０、６０も、把持ロープ５６、６６を把持してドアパネル片４０と同様に浴槽本体２に着脱され、ドアパネル片４０と同様に、少ない上下移動距離で浴槽本体２に着脱できると共に弱い力で容易に浴槽本体２に着脱できる。
【００２０】
このような構成のドアパネル３（ドアパネル片４０、５０、６０）は、必要に応じて、ドアパネル片４０、５０、６０が適宜組合されて、浴槽本体２に装着される。例えば、身体障害者が車椅子に乗車して入浴する場合は、ドアパネル片４０、５０、６０の全てが浴槽本体２に装着され、健常者が入浴する場合は、ドアパネル片４０、５０が浴槽本体２に装着される。また、例えば、幼児が入浴する場合は、ドアパネル片４０のみが浴槽本体２に装着される。
【００２１】
圧着棒４、５は、ドアパネル３（ドアパネル片４０、５０、６０）を浴槽本体２の入出用開口２３の左右両側端縁及び床面に圧着させるために、すなわちドアパネル３のゴムパッキング４５、５５、６５と浴槽本体２との密着度を高めるために、梃子の応用でドアパネル３（ドアパネル片４０、５０、６０）を下方に押圧するものである。
【００２２】
圧着棒４は、浴槽本体２のフック穴２９ａ、２９ｂ、２９ｃに着脱自在に係合される固定フック７１と、ドアパネル３（ドアパネル片４０、５０、６０）を下方に向けて押圧する圧着ボール７２と、ロック棒６が挿通されるロック穴７３、７４とを有している。固定フック７１及び圧着ボール７２は、圧着棒４の一端側に設けられており、ロック穴７３、７４は、圧着棒４の他端側に設けられている。
【００２３】
圧着棒５は、浴槽本体２のフック穴２９ｄ、２９ｅ、２９ｆに着脱自在に係合される固定フック８１と、ドアパネル３（ドアパネル片４０、５０、６０）を下方に向けて押圧する圧着ボール８２と、ロック棒６が挿通されるロック穴８３、８４とを有している。固定フック８１及び圧着ボール８２は、圧着棒５の一端側に設けられており、ロック穴８３、８４は、圧着棒５の他端側に設けられている。圧着棒５は、圧着棒４よりも細くなっており、圧着棒４内に納まるようになっている。
【００２４】
ロック棒６は、圧着棒４、５によるドアパネル３（ドアパネル片４０、５０、６０）の浴槽本体２への圧着状態を保持するために、圧着棒４、５を固定するものである。ロック棒６は、圧着棒４のロック穴７３、７４及び圧着棒５のロック穴８３、８４に挿入可能な金属性の角棒から成っている。
【００２５】
図２は、上記圧着棒４、５によるドアパネル３の圧着構造を示し、図３は、上記ロック棒６による圧着棒４、５の固定構造を示す。なお、図２では、ドアパネル片４０、５０、６０の全てを浴槽本体２に装着した場合の例を示している。
【００２６】
圧着棒４、５によるドアパネル３の圧着は、ドアパネル片４０、５０、６０を浴槽本体２に装着した後、まず、圧着棒５の固定フック８１を浴槽本体２のフック穴２９ｆに挿入し、続いて、圧着棒４の固定フック７１を浴槽本体２のフック穴２９ｃに挿入する。これにより、圧着棒４及び圧着棒５は、各々、一端側が支点となって他端側が上下に回動自在になる。
【００２７】
そして、圧着棒４及び圧着棒５の他端側を回動させて、圧着棒５が圧着棒４内に納まるようにして、圧着棒４及び圧着棒５の他端側を手動により下方に向けて押下げる。これにより、圧着棒４の圧着ボール７２及び圧着棒５の圧着ボール８２が、各々、ドアパネル片６０の上端縁（すなわちドアパネル３の上端縁）に当接して、ドアパネル３を下方に向けて押圧し、ドアパネル３が浴槽本体２の入出用開口２３の左右側端縁及び床２１に圧着されて、ドアパネル３のゴムパッキング４５、５５、６５と浴槽本体２との密着度が高められる。
【００２８】
このとき、圧着ボール７２、８２は、各々、圧着棒４、５の一端側（回動の支点となる側）に設けられているため、ドアパネル３は、圧着ボール７２、８２により梃子の作用を受けて下方に押圧される。従って、弱い力でドアパネル３のゴムパッキング４５、５５、６５の密着度を増すことができ、弱い力でドアパネル３と浴槽本体２との間の水密性を高めて漏水を防止することができる。
【００２９】
圧着棒４及び圧着棒５の他端側を押下げてドアパネル３を浴槽本体２に圧着させた状態では、圧着棒４及び圧着棒５は略一直線上に重なり合い、圧着棒４のロック穴７３と圧着棒５のロック穴８３が重なり合う。
【００３０】
ロック棒６による圧着棒４、５の固定は、このように圧着棒４、５の他端側を一直線上に重ね合わせて、圧着棒４のロック穴７３と圧着棒５のロック穴８３を重ね合わせた状態で、ロック棒６を圧着棒４のロック穴７３と圧着棒５のロック穴８３の双方に挿通することにより行われる。これにより、圧着棒４及び圧着棒５は、一直線上に重ね合わせた状態で固定され、圧着棒４及び圧着棒５によりドアパネル３（ドアパネル片４０、５０、６０）を浴槽本体２に圧着させた状態が保持される。
【００３１】
なお、ドアパネル片４０のみを浴槽本体２に装着した場合は、圧着棒５の固定フック８１を浴槽本体２のフック穴２９ｄに挿入すると共に、圧着棒４の固定フック７１を浴槽本体２のフック穴２９ａに挿入することにより、上記ドアパネル片４０、５０、６０の全てを浴槽本体２に装着した場合と同様にして、梃子を応用して弱い力で、ドアパネル３（ドアパネル片４０）を浴槽本体２に圧着させることができる。このとき、圧着棒４のロック穴７４と圧着棒５のロック穴８４が重なり合い、ロック棒６を圧着棒４のロック穴７４と圧着棒５のロック穴８４の双方に挿通することにより、圧着棒４及び圧着棒５によりドアパネル３（ドアパネル片４０）を浴槽本体２に圧着させた状態が保持される。
【００３２】
また、ドアパネル片４０とドアパネル片５０を浴槽本体２に装着した場合は、圧着棒５の固定フック８１を浴槽本体２のフック穴２９ｅに挿入すると共に、圧着棒４の固定フック７１を浴槽本体２のフック穴２９ｂに挿入することにより、上記ドアパネル片４０、５０、６０の全てを浴槽本体２に装着した場合と同様にして、梃子を応用して弱い力で、ドアパネル３（ドアパネル片４０、５０）を浴槽本体２に圧着させることができる。このとき、圧着棒４のロック穴７３と圧着棒５のロック穴８４、及び圧着棒４のロック穴７４と圧着棒５のロック穴８３が重なり合い、ロック棒６を圧着棒４のロック穴７３と圧着棒５のロック穴８４の双方に挿通するか、又は、圧着棒４のロック穴７４と圧着棒５のロック穴８３の双方に挿通することにより、圧着棒４及び圧着棒５によりドアパネル３（ドアパネル片４０、５０）を浴槽本体２に圧着させた状態が保持される。
【００３３】
このような構成の身体障害者独立入浴型浴槽１によれば、浴槽本体２の入出用開口２３の左右両側端縁が下方から上方に向かうに連れて入出用開口２３の左右方向幅が広がるように傾斜しているため、ドアパネル３を少ない上下移動距離で浴槽本体２に着脱できる。しかも、浴槽本体２の入出用開口２３の左右両側端縁が傾斜しているため、ドアパネル３の側端縁のゴムパッキング４５、５５、６５と浴槽本体２との摩擦力が小さくなり、ドアパネル３を弱い力で容易に浴槽本体３に着脱することができる。従って、入浴用車椅子に乗車した身体障害者が自らドアパネル３を着脱して浴槽本体２に入出することができ、入浴用車椅子に乗車した身体障害者が自立して単身で入浴することが可能となる。
【００３４】
しかも、浴槽本体２の入出用開口２３の左右両側端縁が傾斜しているため、ドアパネル３の側端縁のゴムパッキング４５、５５、６５が平均して浴槽本体２に圧着され、これにより、ドアパネル３と浴槽本体２との間の水密性が高められ、漏水を防止することができる。
【００３５】
また、ドアパネル３がドアパネル片４０、５０、６０に分割されているため、個々のドアパネル片４０、５０、６０の重量は軽く、また、個々のドアパネル片４０、５０、６０のゴムパッキング４５、５５、６５と浴槽本体２との摩擦力も小さい。従って、個々のドアパネル片４０、５０、６０は、より一層弱い力で浴槽本体に着脱することができ、これにより、ドアパネル３全体をより一層容易に浴槽本体２に着脱することができる。
【００３６】
しかも、ドアパネル３がドアパネル片４０、５０、６０に分割されているため、浴槽本体２に装着するドアパネル片４０、５０、６０を選択することで、ドアパネル３の高さを調整できると共に、浴槽本体２内に貯める湯水の上限水位を調整することができる。従って、例えば、健常者が入浴する場合は、ドアパネル片４０とドアパネル片５０を装着し、ドアパネル片６０を装着しないことで、ドアパネル片５０を跨いで容易に浴槽本体２に入ることができ、安全である。また、例えば、幼児が単独で入浴する場合は、ドアパネル片４０のみを装着することで、幼児がドアパネル片４０を跨いで容易に浴槽本体２に入ることができ、安全であると共に、浴槽本体２内に貯まる湯水の水位もドアパネル片４０の高さが上限となって、安全な水位に保たれる。
【００３７】
さらに、圧着棒４、５により梃子を応用してドアパネル３を下方に押圧するため、弱い力でドアパネル３のゴムパッキング４５、５５、６５と浴槽本体２との密着度を増すことができ、弱い力でドアパネル３と浴槽本体２との間の水密性を高めて漏水を防止することができる。
【００３８】
なお、本発明は、上記実施形態の構成に限られず、種々の変形が可能である。例えば、上記実施形態において、ドアパネル３は、３つのドアパネル片に分割されている構成に限られず、２つのドアパネル片に分割されていてもよく、また、４つ以上のドアパネル片に分割されていてもよい。また、ドアパネル３は、必ずしも複数のドアパネル片に分割されている必要はなく、１枚で構成されていてもよい。
【産業上の利用可能性】
【００３９】
本発明は、高齢者住宅、病院、介護施設、温泉旅館等へ設置して利用することが可能である。
【図面の簡単な説明】
【００４０】
【図１】本発明の一実施形態に係る身体障害者独立入浴型浴槽の概略構成を示す浴槽本体からドアパネルを取外した状態の斜視図。
【図２】同浴槽の圧着棒によるドアパネルの圧着構造を示す断面図。
【図３】同浴槽のロック棒による圧着棒の固定構造を示す一部破断した斜視図。
【符号の説明】
【００４１】
１    身体障害者独立入浴型浴槽
２    浴槽本体
３    ドアパネル
４、５    圧着棒
６    ロック棒
２１    床
２２    周側壁
２３    入出用開口
２７、２８    溝
２９ａ〜２９ｆ    フック穴
４０、５０、６０    ドアパネル片
４５、５５、６５    ゴムパッキング
７１、８１    固定フック
７２、８２    圧着ボール
７３、７４、８３、８４    ロック穴
【図１】
2006218086.tif 000003
【図２】
2006218086.tif 000004
【図３】
2006218086.tif 000005